【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
符号化されたビデオデータを復号する復号処理を実行すること
を備え、前記復号処理は、
ターゲットの最高の一時的な識別子を決定することと、ここにおいて、前記ターゲットの最高の一時的な識別子を決定することは、
前記ターゲットの最高の一時的な識別子が外部手段によって規定されるかどうかを決定すること、
前記ターゲットの最高の一時的な識別子がいずれの外部手段によっても規定されないと決定することに応答して、および前記復号処理が、前記符号化されたビデオデータを備えるビットストリームがビデオコーディング標準に適合するかどうかを決定するビットストリーム適合試験において呼び出されると決定することに応答して、
試験対象の動作点を選択すること、および
前記試験対象の動作点に対応するサブビットストリームの中に存在する最大の一時的な識別子に等しい前記ターゲットの最高の一時的な識別子を設定すること、ここにおいて、前記サブビットストリームの中に存在する前記最大の一時的な識別子は、前記ビットストリームの中に存在する最大の一時的な識別子より小さい、または、
それ以外の場合、前記ビットストリーム中の一時的なサブレイヤの最大の数を規定するシンタックス要素の値に前記ターゲットの最高の一時的な識別子を設定すること、
を備える、
サブビットストリームを導出するビットストリーム抽出処理を実行することと、前記ビットストリーム抽出処理は、前記ターゲットの最高の一時的な識別子よりも大きい一時的な識別子を有するすべてのネットワーク抽象化レイヤ（ＮＡＬ）の複数のユニットを、前記ビットストリームから、除去することを備える、
前記サブビットストリームのＮＡＬの複数のユニットを復号することと
を備える、上記方法。
【請求項２】
前記動作点が第１の動作点であり、
前記方法は、前記復号処理を第２時間に実行することをさらに備え、前記復号処理が前記第２時間に実行されるとき、前記復号処理が前記ビットストリーム適合試験の一部として実行されず、
前記復号処理を前記第２時間に実行することが、
外部ソースから、第２のターゲットの最高の一時的な識別子を受信することと
第２のサブビットストリームを導出するために前記ビットストリーム抽出処理を実行することと、前記第２のサブビットストリームを導出するための前記ビットストリーム抽出処理は、前記第２のターゲットの最高の一時的な識別子よりも大きい一時的な識別子を有するすべてのＮＡＬの複数のユニットを、前記ビットストリームから、除去することを備える、
前記第２のサブビットストリームのＮＡＬの複数のユニットを復号することと、
を備える、請求項１に記載の方法。
【請求項３】
前記動作点が第１の動作点であり、
前記方法は、前記復号処理を第２時間に実行することをさらに備え、前記復号処理が前記第２時間に実行されるとき、前記復号処理が前記外部手段によって設定されず、前記ビットストリーム適合試験の一部として実行されず、
前記復号処理を前記第２時間に実行することが、
第２のサブビットストリームを導出するために前記ビットストリーム抽出処理を実行することと、前記第２のサブビットストリームを導出するための前記ビットストリーム抽出処理は、第２のターゲットの最高の一時的な識別子よりも大きい一時的な識別子を有するすべてのＮＡＬの複数のユニットを、前記ビットストリームから、除去することを備える、
ここにおいて、０は、前記第２のサブビットストリームの中に存在するレイヤ識別子の複数のシンタックス要素によって示される唯一の値である、
ここにおいて、前記第２のターゲットの最高の一時的な識別子は、前記ビットストリームの中に存在する一時的なサブレイヤの前記最大の数を規定する前記シンタックス要素の前記値に設定される、
前記第２のサブビットストリームのＮＡＬの複数のユニットを復号することと、
を備える、請求項１に記載の方法。
【請求項４】
前記ビットストリーム適合試験を実行することが、
前記試験対象の動作点に適用可能な仮想参照デコーダ（ＨＲＤ）の複数のパラメータのセットを選択することと、
前記復号処理を実行するＨＲＤを構成するように、ＨＲＤの複数のパラメータの前記選択されたセットを使用すること
を備える、請求項１に記載の方法。
【請求項５】
前記復号処理を実行することがさらに、シーケンスパラメータセット（ＳＰＳ）から、複数のシンタックス要素のアレイを復号することを備え、ここにおいて、前記アレイ中の複数の前記シンタックス要素の各々が、前記ＨＲＤの復号されたピクチャのバッファ（ＤＰＢ）の最大の要求されるサイズを示し、
前記ビットストリーム適合試験を実行することが、
前記ターゲットの最高の一時的な識別子に基づいて、前記アレイ中の特定のシンタックス要素を決定することと、
前記特定のシンタックス要素によって示される値が最大のＤＰＢサイズより大きいとき、前記ビットストリームが前記ビデオコーディング標準に適合しないと決定することと
を備える、請求項４に記載の方法。
【請求項６】
前記復号処理を実行することが、前記ＨＲＤのＤＰＢの最大の要求されるサイズを各々示す複数のシンタックス要素のアレイを、ＳＰＳから復号することを備え、
前記ビットストリーム適合試験を実行することが、
前記ターゲットの最高の一時的な識別子に基づいて、前記アレイ中の特定のシンタックス要素を決定することと、
現在のピクチャが瞬時復号リフレッシュ（ＩＤＲ）ピクチャまたはブロークンリンクアクセス（ＢＬＡ）ピクチャではなく、出力のために必要とされると標識された前記ＤＰＢ中の複数のピクチャの数が前記特定のシンタックス要素によって示される値より大きいとき、前記ＤＰＢの１つまたは複数のピクチャ記憶バッファを空にするバンピング処理を実行することと
を備える、請求項４に記載の方法。
【請求項７】
前記復号処理を実行することが、前記ＨＲＤのＤＰＢの最大の要求されるサイズを各々示す複数のシンタックス要素のアレイを、ＳＰＳから復号することを備え、
前記ビットストリーム適合試験を実行することが、
前記ターゲットの最高の一時的な識別子に基づいて、前記アレイ中の特定のシンタックス要素を決定することと、
現在のピクチャがＩＤＲピクチャまたはＢＬＡピクチャではなく、前記ＤＰＢ中の前記複数のピクチャの数が前記特定のシンタックス要素によって示されるとき、前記ＤＰＢの１つまたは複数のピクチャ記憶バッファを空にするバンピング処理を実行することと
を備える、請求項４に記載の方法。
【請求項８】
前記復号処理を実行することが、前記ＨＲＤのＤＰＢの最大の要求されるサイズを各々示す複数のシンタックス要素のアレイを、ＳＰＳから復号することを備え、
前記ビットストリーム適合試験を実行することが、前記ターゲットの最高の一時的な識別子に基づいて、前記アレイ中の特定のシンタックス要素を決定することを備え、
前記ＤＰＢ中の複数のピクチャ記憶バッファの数が前記特定のシンタックス要素によって示される、
請求項４に記載の方法。
【請求項９】
前記復号処理を実行することが、
前記ＨＲＤのＤＰＢのそれぞれの最大の要求されるサイズを各々示す複数のシンタックス要素の第１のアレイを、現在のピクチャについてアクティブであるＳＰＳから復号することと、
前記ＨＲＤの前記ＤＰＢのそれぞれの最大の要求されるサイズを各々示す複数のシンタックス要素の第２のアレイを、先行するピクチャについてアクティブであるＳＰＳから復号することと、
前記ターゲットの最高の一時的な識別子に基づいて、前記第１のアレイ中の第１のシンタックス要素を決定することと、
前記ターゲットの最高の一時的な識別子に基づいて、前記第２のアレイ中の第２のシンタックス要素を決定することと、
前記現在のピクチャがＩＤＲピクチャまたはＢＬＡピクチャであり、前記第１のシンタックス要素によって示される値が前記第２のシンタックス要素によって示される値と異なるとき、第３のシンタックス要素の値を、前記第３のシンタックス要素によって示される値に関係なく推測することと
を備え、
ここにおいて、前記第３のシンタックス要素が、前記ＤＰＢ中の以前に復号された複数のピクチャがＩＤＲピクチャまたはＢＬＡピクチャの復号の後に、どのように扱われるかを規定する、
請求項４に記載の方法。
【請求項１０】
前記復号処理を実行することが、ＨＲＤの複数のパラメータの前記選択されたセットを含むＨＲＤの複数のパラメータシンタックス構造を復号することを備え、ここにおいて、ＨＲＤの複数のパラメータの前記選択されたセットが、前記ビットストリーム中の代替的なコーディングされたピクチャのバッファ（ＣＰＢ）の複数の仕様の数を各々示す複数のシンタックス要素のアレイを含み、
前記ビットストリーム適合試験を実行することが、
前記ターゲットの最高の一時的な識別子に基づいて、前記アレイ中の特定のシンタックス要素を選択することと、
０から前記特定のシンタックス要素によって示される値までの範囲にあるスケジューラ選択インデックスを選択することと、
前記スケジューラ選択インデックスに少なくとも一部基づいて、前記ＨＲＤのＣＰＢの当初のＣＰＢの除去遅延を決定することと
を備える、請求項４に記載の方法。
【請求項１１】
前記復号処理を実行することがさらに、複数のシンタックス要素のアレイを、ＳＰＳから復号することを備え、ここにおいて、前記アレイ中の前記複数のシンタックス要素の各々が、前記ＨＲＤのＤＰＢの最大の要求されるサイズを示し、
ここにおいて、前記ビットストリーム適合試験を実行することが、
前記ターゲットの最高の一時的な識別子に基づいて、前記アレイ中の特定のシンタックス要素を決定することと、
前記ＤＰＢ中の復号された複数のピクチャの数が、０と前記特定のシンタックス要素によって示される値から１を引いたものとのうちの大きい方以下であるかどうかに少なくとも一部基づいて、前記ビットストリームが前記ビデオコーディング標準に適合するかどうかを決定することと
を備える、請求項４に記載の方法。
【請求項１２】
ビデオデータを処理するためのデバイスであって、前記デバイスは、
符号化されたビデオデータを記憶するように構成された記憶媒体と、
１つまたは複数のプロセッサと
を備え、前記１つまたは複数のプロセッサは、
前記符号化されたビデオデータを復号する復号処理を実行し、ここにおいて、前記復号処理を実行することの一部として前記１つまたは複数のプロセッサはさらに、
ターゲットの最高の一時的な識別子を決定し、ここにおいて、前記ターゲットの最高の一時的な識別子を決定することの一部として、前記１つまたは複数のプロセッサは、
前記ターゲットの最高の一時的な識別子が外部手段によって規定されるかどうかを決定し、
前記ターゲットの最高の一時的な識別子がいずれの外部手段によっても規定されないと決定することに応答して、および前記復号処理が、前記符号化されたビデオデータを備えるビットストリームがビデオコーディング標準に適合するかどうかを決定するビットストリーム適合試験において呼び出されると決定することに応答して、
試験対象の動作点を選択し、および
前記試験対象の動作点に対応するサブビットストリームの中に存在する最大の一時的な識別子に等しい前記ターゲットの最高の一時的な識別子を設定し、ここにおいて、前記サブビットストリームの中に存在する前記最大の一時的な識別子は、前記ビットストリームの中に存在する最大の一時的な識別子より小さい、
それ以外の場合、前記ビットストリーム中の一時的なサブレイヤの最大の数を規定するシンタックス要素の値に前記ターゲットの最高の一時的な識別子を設定する、
ように構成される、
サブビットストリームを導出するビットストリーム抽出処理を実行し、前記ビットストリーム抽出処理は、前記ターゲットの最高の一時的な識別子よりも大きい一時的な識別子を有するすべてのネットワーク抽象化レイヤ（ＮＡＬ）の複数のユニットを、前記ビットストリームから、除去することを備える、
前記サブビットストリームのＮＡＬの複数のユニットを復号する
ように構成される、上記デバイス。
【請求項１３】
前記動作点が第１の動作点であり、
前記１つまたは複数のプロセッサが、前記復号処理を第２時間に実行するように構成され、前記復号処理が前記第２時間に実行されるとき、前記復号処理が前記ビットストリーム適合試験の一部として実行されず、
前記１つまたは複数のプロセッサが前記復号処理を前記第２時間に実行するときに、前記１つまたは複数のプロセッサが、
外部ソースから、第２のターゲットの最高の一時的な識別子を受信し、
第２のサブビットストリームを導出するために前記ビットストリーム抽出処理を実行し、前記第２のサブビットストリームを導出するための前記ビットストリーム抽出処理は、前記第２のターゲットの最高の一時的な識別子よりも大きい一時的な識別子を有するすべてのＮＡＬの複数のユニットを、前記ビットストリームから、除去することを備える、
前記第２のサブビットストリームのＮＡＬの複数のユニットを復号する、
ように、前記１つまたは複数のプロセッサが構成される、請求項１２に記載のデバイス。
【請求項１４】
前記動作点が第１の動作点であり、
前記１つまたは複数のプロセッサが、前記復号処理を第２時間に実行するように構成され、
前記復号処理が前記第２時間に実行されるとき、前記復号処理が前記外部手段によって設定されず、前記ビットストリーム適合試験の一部として実行されず、
前記１つまたは複数のプロセッサが前記復号処理を前記第２時間に実行するときに、前記１つまたは複数のプロセッサが、
第２のサブビットストリームを導出するために前記ビットストリーム抽出処理を実行し、前記第２のサブビットストリームを導出するための前記ビットストリーム抽出処理は、第２のターゲットの最高の一時的な識別子よりも大きい一時的な識別子を有するすべてのＮＡＬの複数のユニットを、前記ビットストリームから、除去することを備える、
ここにおいて、０は、前記第２のサブビットストリームの中に存在するレイヤ識別子の複数のシンタックス要素によって示される唯一の値である、
ここにおいて、前記第２のターゲットの最高の一時的な識別子は、前記ビットストリームの中に存在する一時的なサブレイヤの前記最大の数を規定する前記シンタックス要素の前記値に設定される、
前記第２のサブビットストリームのＮＡＬの複数のユニットを復号する
ように、前記１つまたは複数のプロセッサが構成される、請求項１２に記載のデバイス。
【請求項１５】
前記１つまたは複数のプロセッサが前記ビットストリーム適合試験を実行するときに、前記１つまたは複数のプロセッサが、
前記試験対象の動作点に適用可能な仮想参照デコーダ（ＨＲＤ）の複数のパラメータのセットを選択し、
前記復号処理を実行するＨＲＤを構成するように、ＨＲＤの複数のパラメータの前記選択されたセットを使用する、
ように、前記１つまたは複数のプロセッサが構成される、請求項１２に記載のデバイス。
【請求項１６】
前記１つまたは複数のプロセッサが前記復号処理を実行するときに、前記１つまたは複数のプロセッサが、シーケンスパラメータセット（ＳＰＳ）から、複数のシンタックス要素のアレイを復号するように、前記１つまたは複数のプロセッサが構成され、ここにおいて、前記アレイ中の複数の前記シンタックス要素の各々が、前記ＨＲＤの復号されたピクチャのバッファ（ＤＰＢ）の最大の要求されるサイズを示し、
前記１つまたは複数のプロセッサが前記ビットストリーム適合試験を実行するときに、前記１つまたは複数のプロセッサが、
前記ターゲットの最高の一時的な識別子に基づいて、前記アレイ中の特定のシンタックス要素を決定し、
前記特定のシンタックス要素によって示される値が最大のＤＰＢサイズより大きいとき、前記ビットストリームが前記ビデオコーディング標準に適合しないと決定する、
請求項１５に記載のデバイス。
【請求項１７】
前記１つまたは複数のプロセッサが前記復号処理を実行するときに、前記１つまたは複数のプロセッサが、前記ＨＲＤのＤＰＢの最大の要求されるサイズを各々示す複数のシンタックス要素のアレイを、ＳＰＳから復号し、
前記１つまたは複数のプロセッサが前記ビットストリーム適合試験を実行するときに、前記１つまたは複数のプロセッサが、
前記ターゲットの最高の一時的な識別子に基づいて、前記アレイ中の特定のシンタックス要素を決定し、
現在のピクチャが瞬時復号リフレッシュ（ＩＤＲ）ピクチャまたはブロークンリンクアクセス（ＢＬＡ）ピクチャではなく、出力のために必要とされると標識された前記ＤＰＢ中の複数のピクチャの数が前記特定のシンタックス要素によって示される値より大きいとき、前記ＤＰＢの１つまたは複数のピクチャ記憶バッファを空にするバンピング処理を実行する、
請求項１５に記載のデバイス。
【請求項１８】
前記１つまたは複数のプロセッサが前記復号処理を実行するときに、前記１つまたは複数のプロセッサが、前記ＨＲＤのＤＰＢの最大の要求されるサイズを各々示す複数のシンタックス要素のアレイを、ＳＰＳから復号し、
前記１つまたは複数のプロセッサが前記ビットストリーム適合試験を実行するときに、前記１つまたは複数のプロセッサが、
前記ターゲットの最高の一時的な識別子に基づいて、前記アレイ中の特定のシンタックス要素を決定し、
現在のピクチャがＤＲピクチャまたはＢＬＡピクチャではなく、前記ＤＰＢ中の前記複数のピクチャの数が前記特定のシンタックス要素によって示されるとき、前記ＤＰＢの１つまたは複数のピクチャ記憶バッファを空にするバンピング処理を実行する、
請求項１５に記載のデバイス。
【請求項１９】
前記１つまたは複数のプロセッサが前記復号処理を実行するときに、前記１つまたは複数のプロセッサが、前記ＨＲＤのＤＰＢの最大の要求されるサイズを各々示す複数のシンタックス要素のアレイを、ＳＰＳから復号し、
前記１つまたは複数のプロセッサが前記ビットストリーム適合試験を実行するときに、前記１つまたは複数のプロセッサが、前記ターゲットの最高の一時的な識別子に基づいて、前記アレイ中の特定のシンタックス要素を決定し、
前記ＤＰＢ中の複数のピクチャ記憶バッファの数が前記特定のシンタックス要素によって示される、
請求項１５に記載のデバイス。
【請求項２０】
前記１つまたは複数のプロセッサが前記復号処理を実行するときに、前記１つまたは複数のプロセッサが、
前記ＨＲＤのＤＰＢのそれぞれの最大の要求されるサイズを各々示す複数のシンタックス要素の第１のアレイを、現在のピクチャについてアクティブであるＳＰＳから復号し、
前記ＨＲＤの前記ＤＰＢのそれぞれの最大の要求されるサイズを各々示す複数のシンタックス要素の第２のアレイを、先行するピクチャについてアクティブであるＳＰＳから復号し、
前記ターゲットの最高の一時的な識別子に基づいて、前記第１のアレイ中の第１のシンタックス要素を決定し、
前記ターゲットの最高の一時的な識別子に基づいて、前記第２のアレイ中の第２のシンタックス要素を決定し、
前記現在のピクチャがＩＤＲピクチャまたはＢＬＡピクチャであり、前記第１のシンタックス要素によって示される値が前記第２のシンタックス要素によって示される値と異なるとき、第３のシンタックス要素の値を、前記第３のシンタックス要素によって示される値に関係なく推測し、ここにおいて、前記第３のシンタックス要素が、前記ＤＰＢ中の以前に復号された複数のピクチャがＩＤＲピクチャまたはＢＬＡピクチャの復号の後に、どのように扱われるかを規定する、
請求項１５に記載のデバイス。
【請求項２１】
前記１つまたは複数のプロセッサが前記復号処理を実行するときに、前記１つまたは複数のプロセッサが、ＨＲＤの複数のパラメータの前記選択されたセットを含むＨＲＤの複数のパラメータシンタックス構造を復号し、ここにおいて、ＨＲＤの複数のパラメータの前記選択されたセットが、前記ビットストリーム中の代替的なコーディングされたピクチャのバッファ（ＣＰＢ）の複数の仕様の数を各々示す複数のシンタックス要素のアレイを含み、
ここにおいて、前記１つまたは複数のプロセッサが前記ビットストリーム適合試験を実行するときに、前記１つまたは複数のプロセッサが、
前記ターゲットの最高の一時的な識別子に基づいて、前記アレイ中の特定のシンタックス要素を選択し、
０から前記特定のシンタックス要素によって示される値までの範囲にあるスケジューラ選択インデックスを選択し、
前記スケジューラ選択インデックスに少なくとも一部基づいて、前記ＨＲＤのＣＰＢの当初のＣＰＢの除去遅延を決定する、
請求項１５に記載のデバイス。
【請求項２２】
前記１つまたは複数のプロセッサが前記復号処理を実行するときに、前記１つまたは複数のプロセッサが、複数のシンタックス要素のアレイを、ＳＰＳから復号し、ここにおいて、前記アレイ中の前記複数のシンタックス要素の各々が、前記ＨＲＤのＤＰＢの最大の要求されるサイズを示し、
ここにおいて、前記１つまたは複数のプロセッサが前記ビットストリーム適合試験を実行するときに、前記１つまたは複数のプロセッサが、
前記ターゲットの最高の一時的な識別子に基づいて、前記アレイ中の特定のシンタックス要素を決定し、
前記ＤＰＢ中の復号された複数のピクチャの数が、０と前記特定のシンタックス要素によって示される値から１を引いたものとのうちの大きい方以下であるかどうかに少なくとも一部基づいて、前記ビットストリームが前記ビデオコーディング標準に適合するかどうかを決定する、
請求項１５に記載のデバイス。
【請求項２３】
前記デバイスは、
集積回路、
マイクロプロセッサ、または
ワイヤレス通信デバイス
のうちの少なくとも１つを備える、請求項１２に記載のデバイス。
【請求項２４】
復号されたビデオデータを表示するように構成されるディスプレイをさらに備える、請求項１２に記載のデバイス。
【請求項２５】
ビデオデータをキャプチャするように構成されるカメラをさらに備える、請求項１２に記載のデバイス。
【請求項２６】
ビデオデータを処理するためのデバイスであって、前記デバイスは、
符号化されたビデオデータを記憶するための手段と、
前記符号化されたビデオデータを復号する復号処理を実行するための手段と、
を備え、前記復号処理を実行することは、
ターゲットの最高の一時的な識別子を決定することと、ここにおいて、前記ターゲットの最高の一時的な識別子を決定することは、
前記ターゲットの最高の一時的な識別子が外部手段によって規定されるかどうかを決定することと、
前記ターゲットの最高の一時的な識別子がいずれの外部手段によっても規定されないと決定することに応答して、および前記復号処理が、前記符号化されたビデオデータを備えるビットストリームがビデオコーディング標準に適合するかどうかを決定するビットストリーム適合試験において呼び出されると決定することに応答して、
試験対象の動作点を選択し、および
前記試験対象の動作点に対応するサブビットストリームの中に存在する最大の一時的な識別子に等しい前記ターゲットの最高の一時的な識別子を設定し、ここにおいて、前記サブビットストリームの中に存在する前記最大の一時的な識別子は、前記ビットストリームの中に存在する最大の一時的な識別子より小さい、
それ以外の場合、前記ビットストリーム中の一時的なサブレイヤの最大の数を規定するシンタックス要素の値に前記ターゲットの最高の一時的な識別子を設定する、
を備える、
サブビットストリームを導出するビットストリーム抽出処理を実行することと、前記ビットストリーム抽出処理は、前記ターゲットの最高の一時的な識別子よりも大きい一時的な識別子を有するすべてのネットワーク抽象化レイヤ（ＮＡＬ）の複数のユニットを、前記ビットストリームから、除去することを備える、
前記サブビットストリームのＮＡＬの複数のユニットを復号することと
を備える、上記デバイス。
【請求項２７】
前記ビットストリーム適合試験を実行することが、
前記試験対象の動作点に適用可能な仮想参照デコーダ（ＨＲＤ）の複数のパラメータのセットを選択することと、
前記復号処理を実行するＨＲＤを構成するように、ＨＲＤの複数のパラメータの前記選択されたセットを使用することと、
を備える、請求項２６に記載のデバイス。
【請求項２８】
コンピュータ可読記憶媒体であって、デバイスの１つまたは複数のプロセッサにより実行されるとき、
符号化されたビデオデータを復号する復号処理を実行する
ように前記デバイスを構成する命令を記憶し、ここにおいて、前記復号処理を実行するように前記データを構成する前記命令は、実行されるとき、
ターゲットの最高の一時的な識別子を決定するように前記デバイスを構成する命令と、ここにおいて、前記ターゲットの最高の一時的な識別子を決定するように前記デバイスを構成する前記命令は、実行されるとき、
前記ターゲットの最高の一時的な識別子が外部手段によって規定されるかどうかを決定し、
前記ターゲットの最高の一時的な識別子がいずれの外部手段によっても規定されないと決定することに応答して、および前記復号処理が、前記符号化されたビデオデータを備えるビットストリームがビデオコーディング標準に適合するかどうかを決定するビットストリーム適合試験において呼び出されると決定することに応答して、
試験対象の動作点を選択し、および
前記試験対象の動作点に対応するサブビットストリームの中に存在する最大の一時的な識別子に等しい前記ターゲットの最高の一時的な識別子を設定し、ここにおいて、前記サブビットストリームの中に存在する前記最大の一時的な識別子は、前記ビットストリームの中に存在する最大の一時的な識別子より小さい、
それ以外の場合、前記ビットストリーム中の一時的なサブレイヤの最大の数を規定するシンタックス要素の値に前記ターゲットの最高の一時的な識別子を設定する、
ように前記デバイスを構成する命令を備える、
サブビットストリームを導出するビットストリーム抽出処理を実行するように前記デバイスを構成する命令と、前記ビットストリーム抽出処理は、前記ターゲットの最高の一時的な識別子よりも大きい一時的な識別子を有するすべてのネットワーク抽象化レイヤ（ＮＡＬ）の複数のユニットを、前記ビットストリームから、除去することを備える、
前記サブビットストリームのＮＡＬの複数のユニットを復号するように前記デバイスを構成する命令と
を備える、上記コンピュータ可読記憶媒体。
【請求項２９】
前記命令は、前記ビットストリーム適合試験の間に、前記デバイスが、
前記試験対象の動作点に適用可能な仮想参照デコーダ（ＨＲＤ）の複数のパラメータのセットを選択し、
前記復号処理を実行するＨＲＤを構成するように、ＨＲＤの複数のパラメータの前記選択されたセットを使用する
ように、前記デバイスを構成する、請求項２８に記載のコンピュータ可読記憶媒体。